(57)【要約】 【課題】  近接して配置される商品の商品情報を表示することができる表示装置および表示システムを提供する。【解決手段】  表示装置１０の制御装置１１は、無線タグ２０が近づいたことを検出する近接センサによる割り込みが発生すると、無線タグ通信装置１７によって無線タグ２０から表示イメージ情報を受信する。そして、受信した表示イメージ情報を記憶装置１２に書き込んだ後、表示イメージ番号を表示コントローラ１４に送る。表示コントローラ１４は、制御装置１１から指示された表示イメージ番号の表示イメージを記憶装置１２から読み出して、表示デバイス１３に表示させる。制御装置１１は、タイマ１５による割り込み、または入力装置１６による割り込みがあると、表示イメージ番号を更新し、更新した表示イメージ番号を表示コントローラ１４に送り、その表示イメージ番号に対応する表示イメージを表示デバイス１３に表示させる。【選択図】      図１
2010026184.tif 000002
【特許請求の範囲】
【請求項１】
近接して配置された商品の商品情報を取得する取得手段と、
前記取得手段によって取得した商品情報を記憶する記憶手段と、
前記記憶手段に記憶された商品情報の中から表示すべき商品情報を選択する選択手段と、
表示手段と、
前記選択手段によって選択された商品情報を前記表示手段に表示させる表示制御手段とを備えたことを特徴とする表示装置。
【請求項２】
前記表示手段に表示される商品情報の切り換えを指示する切換指示手段を含み、
前記選択手段は、前記切換指示手段によって切り換えが指示されとき、商品情報を選択することを特徴とする請求項１に記載の表示装置。
【請求項３】
時間を計時する計時手段を含み、
前記選択手段は、前記計時手段によって予め定める時間が計時されるごとに商品情報を選択することを特徴とする請求項１に記載の表示装置。
【請求項４】
前記取得手段は、前記商品に取り付けられ、その商品の商品情報を記憶する商品情報記憶装置から、その商品情報記憶装置に記憶される商品情報を無線通信で取得することを特徴とする請求項１に記載の表示装置。
【請求項５】
前記取得手段は、
前記商品に取り付けられ、その商品を識別するための商品識別情報が記憶された商品識別情報記憶装置から、記憶された商品識別情報を無線通信で取得し、
商品の商品情報と、各商品の商品識別情報とを対応付けて記憶して管理する商品情報管理装置から、前記商品識別情報記憶装置から取得した商品識別情報に対応付けられた商品情報を取得することを特徴とする請求項１に記載の表示装置。
【請求項６】
商品を表す商品情報を表示する表示装置と、商品に取り付けられ、その商品を識別するための商品識別情報を記憶する商品識別情報記憶装置と、商品の商品情報と各商品の商品識別情報とを対応付けて記憶して管理する商品情報管理装置とを含む表示システムであって、
前記表示装置は、
近接して配置された商品に取り付けられた前記商品識別情報記憶装置から、記憶された商品識別情報を無線通信で取得し、前記商品情報管理装置から、前記商品識別情報記憶装置から取得した商品識別情報に対応付けられた商品情報を取得する取得手段と、
前記取得手段によって取得した商品情報を記憶する記憶手段と、
前記記憶手段に記憶された商品情報の中から表示すべき商品情報を選択する選択手段と、
表示手段と、
前記選択手段によって選択された商品情報を前記表示手段に表示させる表示制御手段とを含むことを特徴とする表示システム。
【請求項７】
前記商品識別情報記憶装置は、取り付けられた商品の商品情報をさらに記憶し、
前記商品情報管理装置は、前記商品識別情報記憶装置から、記憶された商品識別情報および商品情報を無線通信で取得する第２の取得手段と、
第２の取得手段によって取得された商品識別情報と商品情報とを対応付けて記憶する第２の記憶手段とを含むことを特徴とする請求項６に記載の表示システム。
【発明の詳細な説明】
【技術分野】
【０００１】
本発明は、商品情報を表示する表示装置および表示システムに関する。
【背景技術】
【０００２】
衣類などの商品は、サイズ、価格および組成などの商品情報が表示された札が、その商品に貼り付けあるいは縫い付けられている。顧客は、その札を見ることによって、その商品の商品情報を知ることができる。さらに、商品情報のうち、「Ｓ」，「Ｍ」，「Ｌ」などのサイズの情報、あるいは「丸洗い可」などの商品の特徴を表す情報は、衣類が掛けられるハンガーの首の部分に取り付けられるタグに表示され、顧客は、そのハンガーに取り付けられているタグによって、その商品の商品情報の一部を知ることができる。
【０００３】
商品情報を表示する従来の技術として、たとえば特許文献１に記載される両面液晶ディスプレイ装置がある。この両面液晶ディスプレイ装置は、表裏両面に同じデジタル画像情報を表示することができるスタンド方式の表示装置であり、デパートあるいはスーパーマーケットなどの店舗で用いられる。両面液晶ディスプレイ装置は、たとえば背広などの衣類の商品を掛けたハンガーを吊り下げる吊り下げ用の水平ステーの両端を支持するスタンド部材の両方または片方に取り付け固定され、その商品の商品情報を表示する。
【０００４】
【特許文献１】特開２０００−７５８１５号公報
【発明の開示】
【発明が解決しようとする課題】
【０００５】
しかしながら、上述した従来の技術による札あるいはタグは、取り付けられている場所が商品ごとに異なっていたり、表示内容も商品の種類もしくはメーカによって統一されていないものがあり、顧客は、商品情報を容易に見ることができず、希望する商品を探すのに時間がかかる。あるいは、たとえば試着などの際に、衣類とハンガーとの組み合わせが入れ代わり、商品と商品情報とが誤った対応付けになることがある。さらに、商品の販売者は、商品を入れ替えるときに、タグを取り換える必要があり、商品入れ替えに時間がかかる。
【０００６】
特許文献１に記載される両面液晶ディスプレイ装置は、両面液晶ディスプレイ装置の横方向を除く残余のいずれの方向からも商品情報を見ることができるが、個々の商品との対応付けを行うことができないという問題がある。
【０００７】
本発明の目的は、近接して配置される商品の商品情報を表示することができる表示装置および表示システムを提供することである。
【課題を解決するための手段】
【０００８】
本発明は、近接して配置された商品の商品情報を取得する取得手段と、
前記取得手段によって取得した商品情報を記憶する記憶手段と、
前記記憶手段に記憶された商品情報の中から表示すべき商品情報を選択する選択手段と、
表示手段と、
前記選択手段によって選択された商品情報を前記表示手段に表示させる表示制御手段とを備えたことを特徴とする表示装置である。
【０００９】
また本発明は、商品を表す商品情報を表示する表示装置と、商品に取り付けられ、その商品を識別するための商品識別情報を記憶する商品識別情報記憶装置と、商品の商品情報と各商品の商品識別情報とを対応付けて記憶して管理する商品情報管理装置とを含む表示システムであって、
前記表示装置は、
近接して配置された商品に取り付けられた前記商品識別情報記憶装置から、記憶された商品識別情報を無線通信で取得し、前記商品情報管理装置から、前記商品識別情報記憶装置から取得した商品識別情報に対応付けられた商品情報を取得する取得手段と、
前記取得手段によって取得した商品情報を記憶する記憶手段と、
前記記憶手段に記憶された商品情報の中から表示すべき商品情報を選択する選択手段と、
表示手段と、
前記選択手段によって選択された商品情報を前記表示手段に表示させる表示制御手段とを含むことを特徴とする表示システムである。
【発明の効果】
【００１０】
本発明によれば、取得手段によって、近接して配置された商品の商品情報が取得され、記憶手段によって、前記取得手段によって取得した商品情報が記憶され、選択手段によって、前記記憶手段に記憶された商品情報の中から表示すべき商品情報が選択される。そして、表示制御手段によって、前記選択手段によって選択された商品情報が表示手段に表示される。したがって、近接する位置にある商品の商品情報を表示することができる。
【００１１】
また本発明によれば、商品を表す商品情報を表示する表示装置と、商品に取り付けられ、その商品を識別するための商品識別情報を記憶する商品識別情報記憶装置と、商品の商品情報と各商品の商品識別情報とを対応付けて記憶して管理する商品情報管理装置とを含む表示システムで、商品情報を表示装置に表示するにあたって、前記表示装置では、取得手段によって、近接して配置された商品に取り付けられた前記商品識別情報記憶装置から、記憶された商品識別情報が無線通信で取得され、前記商品情報管理装置から、前記商品識別情報記憶装置から取得した商品識別情報に対応付けられた商品情報が取得され、記憶手段前記取得手段によって取得した商品情報が記憶され、選択手段によって、前記記憶手段に記憶された商品情報の中から表示すべき商品情報が選択される。そして、表示制御手段によって、前記選択手段によって選択された商品情報が表示手段に表示される。
【００１２】
したがって、商品識別情報のみを商品識別情報記憶装置、たとえば無線タグから取得し、商品識別情報に対応する商品情報を、商品情報管理装置から取得して、表示装置に表示することができるので、商品識別情報記憶装置の記憶容量を極力小さくすることができ、商品識別情報記憶装置を小型化することができる。
【発明を実施するための最良の形態】
【００１３】
図１は、本発明の実施の一形態である表示システム１の構成を示すブロック図である。表示システム１は、表示装置１０、無線タグ２０およびホストコンピュータ３０を含んで構成され、たとえばデパートあるいはスーパーマーケットなどの店舗で、対応関係がわかるように各商品に近接して配置される表示装置１０に、対応する商品に関する商品情報を表示するシステムである。
【００１４】
表示装置１０は、近接して配置される商品の商品情報を表示するための表示装置であり、制御装置１１、記憶装置１２、表示デバイス１３、表示コントロール１４、タイマ１５、入力装置１６、無線タグ通信装置１７および通信装置１８を含んで構成される。
【００１５】
選択手段である制御装置１１は、たとえば中央処理装置（Central Processing Unit；
以下「ＣＰＵ」という）、ならびにＲＯＭ（Read Only Memory）およびＲＡＭ（Random 
Access Memory）などの半導体メモリによって構成され、ＣＰＵが半導体メモリに記憶される制御プログラムを実行することによって、記憶装置１２、表示デバイス１３、表示コントロール１４、タイマ１５、入力装置１６、無線タグ通信装置１７および通信装置１８を制御する。制御装置１１は、割り込み機能を有しており、割り込みが発生すると、割り込み要因に応じた処理を、他の処理よりも優先して実行する。
【００１６】
記憶手段である記憶装置１２は、たとえば半導体メモリによって構成され、商品情報を含む情報を記憶する。商品情報は、少なくとも１つの表示イメージから構成される表示イメージ情報であり、各表示イメージには、各表示イメージを識別するための表示イメージ番号が対応付けられる。以下、商品情報のことを「表示イメージ情報」ともいう。１つの表示イメージは、静止画像の場合は、表示デバイス１３の表示画面に表示される１画面分の画像情報であり、動画像の場合は、一連の画像からなる１つのまとまった動画情報である。表示イメージの格納形式は、キャラクタ形式、ビットマップ形式、動画形式あるいは表示制御言語など、表示デバイス１３および表示コントローラ１４の特性に合わせて選択される。たとえば、表示コントローラ１４がフォントデータを保持していれば、キャラクタ形式で文字情報を格納することもできる。
【００１７】
表示手段である表示デバイス１３は、たとえば液晶ディスプレイなどによって構成され、表示コントローラ１４から指示される情報を表示する。表示コントローラ１４は、制御装置１１から指示された表示イメージ番号に対応する表示イメージを記憶装置１２から読み出して、表示デバイス１３の表示形式に変換して表示デバイス１３に送り、表示させる。制御装置１１および表示コントローラ１４は、表示制御手段である。
【００１８】
計時手段であるタイマ１５は、時間を計数する計数手段であり、所定の時間が経過するごとに、制御装置１１に割り込みを発生させる。切換指示手段である入力装置１６は、たとえば操作ボタン（以下「ボタン１６」ともいう）によって構成され、ボタン１６が押されると、制御装置１１に割り込みを発生させる。
【００１９】
取得手段である無線タグ通信装置１７は、無線タグ２０と無線で通信することによって、無線タグ２０に記憶される商品情報を取得し、取得した商品情報を制御装置１１に送る。通信装置１８は、ホストコンピュータ３０と無線で通信することによって、ホストコンピュータ３０に記憶される商品情報を取得し、取得した商品情報を制御装置１１に送る。
【００２０】
商品情報記憶装置である無線タグ２０は、商品などに取り付け可能な無線タグ、たとえばＲＦＩＤ（Radio Frequency Identification）方式で無線通信可能な非接触型のＩＣチップを用いたタグによって構成され、送受信部２１、制御部２２および記憶部２３を含んで構成される。送受信部２１は、表示装置１０の無線タグ通信装置１７と無線で通信し、制御部２２から受け取る情報を無線タグ通信装置１７に送信し、無線タグ通信装置１７から受信する情報を制御部２２に送る。
【００２１】
制御部２２は、ＣＰＵ、ならびにＲＯＭおよびＲＡＭなどの半導体メモリによって構成され、ＣＰＵが半導体メモリに記憶される無線タグ制御プログラムを実行することによって、送受信部２１および記憶部２３を制御する。記憶部２３は、不揮発性の半導体メモリによって構成され、その無線タグ２０が取り付けられる商品の商品情報を記憶している。制御部２２は、無線タグ通信装置１７から商品情報の送信要求を受けると、記憶部２３から商品情報を読み出し、読み出した商品情報を送受信部２１によって無線タグ通信装置１７に送る。
【００２２】
ホストコンピュータ３０は、すべての商品についての商品情報と、各商品を識別するための識別情報である商品ＩＤ（Identification）を表す商品ＩＤ情報とを対応付けて記憶し、管理する。ホストコンピュータ３０は、通信装置１８と無線で通信し、記憶する商品情報を通信装置１８に送信する。
【００２３】
図２は、記憶装置１２のメモリマップを示す図である。記憶装置１２は、表示イメージ記憶領域１２１、表示イメージ一時記憶領域１２２、表示イメージ番号記憶領域１２３、および商品ＩＤ記憶領域１２４を含む領域に分割されている。表示イメージ記憶領域１２１は、表示デバイス１３に表示するための商品情報つまり表示イメージ情報を記憶する領域であり、少なくとも１つの表示イメージが若いアドレスから順に記憶されている。表示イメージ番号は、最初のアドレスから記憶されている表示イメージが「１」であり、表示イメージが複数ある場合は、その表示イメージに続いて記憶される各表示イメージに、上昇順の表示イメージ番号が付与される。
【００２４】
表示イメージ一時記憶領域１２２は、無線タグ２０から取得した表示イメージ情報、あるいはホストコンピュータ３０から取得した表示イメージ情報を、一時的に記憶するための作業バッファの領域であり、表示イメージ記憶領域１２１と同様に、表示イメージ番号が付与された少なくとも１つの表示イメージが記憶される。表示イメージ番号記憶領域１２３は、表示中の表示イメージの表示イメージ番号を表す表示イメージ番号情報を記憶する領域である。商品ＩＤ記憶領域１２４は、その無線タグ３０が取り付けられる商品の商品ＩＤを表す商品ＩＤ情報を記憶する領域である。
【００２５】
図３は、ハンガー９に設けられた表示装置１０の例を示す正面図である。図３〜図８に示す例は、商品が衣類であり、その衣類がハンガーに掛けられる場合に適用した例である。図３（ａ）は、ほぼ矩形の形状の表示装置１０ａがハンガー９の首の部分に取り付けられている例である。図３（ｂ）は、台形型の形状の表示装置１０ｂがハンガー９の首の部分に取り付けられている例である。表示装置１０ａ，１０ｂは、ハンガー９に衣類が掛けられても、衣類によって隠れることがない位置に設けられる。
【００２６】
図４は、ハンガー９に設けられた表示装置１０の他の例を示す上面図である。図４（ａ）は、２つの表示画面がフック９ａを挟んで、その２つの表示画面の背面同士が対抗するように配置される表示装置１０ｃの例である。図４（ｂ）は、上から見た形状が矩形である表示装置１０ｄをフック９ａの首の部分を囲うように配置した例を示す図である。図４（ｃ）は、上から見た形状が円形である表示装置１０ｅをフック９ａの首の部分を囲うように配置した例を示す図である。表示装置１０ｄ，１０ｅは、表示画面が１周しており、表示イメージを回転させることも可能である。
【００２７】
図５は、表示装置１０のハンガー９への取付け方法の例を示す図である。図５（ａ）は、ハンガー９の首の部分に取り付けた表示装置１０ｆの例である。図５（ｂ）は、ハンガー９の首の部分に固定した表示装置１０ｆ１の例である。図５（ｃ）は、クリップ形状の表示装置１０ｆ２によって、ハンガー９の首の部分を挟み込んで取り付けた例である。表示装置１０ｆ１，１０ｆ２は、２つの表示画面が、表示画面の背面が対向するように配置されている。
【００２８】
図６は、無線タグ読取装置１７および無線タグ２０の取付け位置の一例を示す図である。図６（ａ）は、無線タグ読取装置１７ａをハンガー９の本体部分に取り付けた例である。無選タグ読取装置１７ａは、衣類８と近接し易い位置、たとえば、図６（ａ）に示すように、ハンガー本体の肩の部分および柄の部分に取り付ける。
【００２９】
図６（ｂ）は、無線タグ２０ａを商品である衣類８の首の部分に、クリップあるいはピンチによって衣類８を挟むことによって取り付けた例である。無線タグ２０ａは、外部から見える必要はなく、衣類８の首回りの裏側に縫い付けてもよい。
【００３０】
図７は、無線タグ読取装置１７および無線タグ２０の取付け位置の他の例を示す図である。図７（ａ）は、無線タグ読取装置１７ｂをハンガー９の柄の中央部分に取り付けた例である。図７（ｂ）は、無線タグ２０ｂを商品である衣類８の首の中央部分に取り付けた例である。図７は、無線タグ読取装置１７ｂと無線タグ２０ｂとを、衣類８をハンガー９に掛けたときに、無線タグ２０ｂが無線タグ読取装置１７ｂの位置に近接する位置になるように配置した例である。
【００３１】
このように、表示装置１０は、ハンガー９の一定の箇所に設けられるので、商品情報が同じ位置に表示され、顧客は、希望する商品を探しやすくなり、顧客満足度を向上することができる。さらに、ハンガー９に衣類８を掛けるだけで、その衣類８の商品情報が表示されるので、商品とハンガー９に設けられた表示装置１０に表示される商品情報がずれることがなく、販売者は、タグの入替えを行う必要がない。
【００３２】
複数のハンガー９が近接して配置される場合、隣のハンガー９に掛けられた衣類８の無線タグ２０の商品情報を誤って受信する可能性がある場合は、たとえば無線タグ通信装置１７と隣のハンガー９に掛けられた衣類８に取り付けられた無線タグ２０との間に、その無線タグ２０の電波を遮断する遮断シートを配置することによって、無線タグ通信装置１７と隣のハンガー９に掛けられた衣類８に取り付けられた無線タグ２０との誤通信を防止することができる。
【００３３】
図８は、表示像置１０に表示される表示例を示す図である。図８（ａ）は、ボタン１６が設けられた表示装置１０ｇがハンガー９に取り付けられた例である。図８（ｂ）は、表示装置１０ｇの表示画面１０１に表示される表示イメージの例であり、ボタン１６を押下するごとに、表示画面１０１ａと表示画面１０１ｂとが交互に表示される。表示画面１０１ａには、衣類のサイズ「Ｍ」の表示イメージが表示され、表示画面１０１ｂには、商品の特徴「丸洗い可抗菌コート」の表示イメージが表示されている。
【００３４】
表示装置１０は、ボタン１６が押下されたときに、サイズの表示イメージから商品の特徴の表示イメージに切り換えるが、これに限定されるものでなく、タイマ１５によって、予め定める時間、たとえば表示している表示イメージを顧客が見終わったと考えられる時間を計時し、その時間が経過するごとに、表示イメージを切り換えてもよい。さらに、ボタン１６とタイマ１５とを用いて、ボタン１６が押下されるごとに表示イメージを切り換えるが、予め定める第２の時間、たとえばボタン１６の押下が行われなくなってから、顧客の対象が他の商品に移ったと考えられる時間をタイマ１５によって計時し、その時間が経過したときに、元のサイズの表示イメージに戻すようにしてもよい。
【００３５】
このように、顧客は、ボタン１６を押下することによって、あるいは所定の時間が経過するごとに、表示内容が切り換わるので、多くの情報を見ることができる。
【００３６】
図３〜図８に示した例では、表示装置１０を、衣類８をかけるハンガー９に設ける例を示したが、商品は衣類８に限定されるものではなく、衣類以外の商品たとえば、書籍、ＣＤ、ＤＶＤ、電気製品、生活用品、あるいは食料品など、無線タグを取り付けることができるものであればいずれの商品であってもよく、さらに、表示装置１０も商品に近接して設置されるものだけでなく、直接商品に取り付けられるようにしてもよい。
【００３７】
図９は、制御装置１１が実行する表示処理を示すフローチャートである。表示装置１０に電池が搭載され、制御装置１１などの各装置に電力が供給されて、動作可能になるとステップＡ１に移る。
【００３８】
ステップＡ１では、各装置の初期化を行う。具体的には、記憶装置１２、表示デバイス１３、表示コントロール１４、タイマ１５、入力装置１６、無線タグ通信装置１７および通信装置１８をリセットして、初期状態にする。ステップＡ２では、表示イメージ番号を「１」とする。具体的には、記憶装置１２に記憶される表示中の表示イメージ番号情報を「１」とする。
【００３９】
ステップＡ３では、表示イメージ番号を表示コントローラ１４に送り、表示デバイス１３に表示イメージを描画させる。表示コントローラ１４は、制御装置１１から表示イメージ番号が指示されると、指示された表示イメージ番号の表示イメージを記憶装置１２から読み出し、読み出した表示イメージを表示デバイス１３に送って表示させる。表示イメージ情報が記憶されていない状態では、すなわち記憶装置１２が初期状態にリセットされた状態では、たとえば全面が白色、灰色あるいは黒色の画面などの画面が表示される。
【００４０】
ステップＡ４では、割り込みが発生したか否かを判定する。割り込みが発生していると、ステップＡ５に進み、割り込みが発生していないと、ステップＡ４に戻り、割り込みが発生するのを待つ。ステップＡ５では、割り込み処理を実行して、ステップＡ３に戻る。
【００４１】
割り込み処理には、図１０に示すタイマ割込みＡ処理、図１２に示す入力装置割り込み処理、図１３に示すタイマ割込みＢ処理、および図１４に示す無線タグ割込Ａ処理がある。
【００４２】
図１０は、制御装置１１が実行するタイマ割込Ａ処理を示すフローチャートである。図９に示したステップＡ４で発生した割り込みがタイマ割込みＡであると、ステップＡ５で、割り込み処理のうちタイマ割込Ａ処理が呼び出され、ステップＢ１に進む。タイマ割込みＡは、予め定める時間、たとえば表示する表示イメージを切り換えるために予め設定された時間、あるいは利用者によって設定された時間が経過するごとに、タイマ１５によって制御装置１１に発生する割り込みである。ステップＢ１では、表示更新処理Ａを実行した後、タイマ割込Ａ処理を終了する。
【００４３】
図１１は、制御装置１１が実行する表示更新処理Ａを示すフローチャートである。図１０に示したステップＢ１、または図１２に示すステップＤ１で呼び出されると、ステップＣ１に進む。
【００４４】
ステップＣ１では、表示イメージ番号に「１」を加算する。具体的には、記憶装置１２に記憶される表示中の表示イメージ番号情報の値に「１」を加算する。ステップＣ２では、表示イメージ番号が上限であるか否かを判定する。加算した表示イメージ番号情報が示す表示イメージ番号が最大の表示イメージ番号を超えていると、表示イメージ番号が上限であると判定し、ステップＣ４に進み、加算した表示イメージ番号情報が示す表示イメージ番号が最大の表示イメージ番号以下であると、表示イメージ番号が上限でないと判定し、ステップＣ３に進む。最大の表示イメージ番号は、表示イメージ情報に含まれる表示イメージの数と同じ値である。
【００４５】
ステップＣ３では、表示イメージ番号を表示コントローラ１４に送り、表示デバイス１３に表示イメージを描画させる。すなわち、表示イメージ記憶領域１２１に記憶される表示イメージのうち、表示イメージ番号情報が示す表示イメージが描画される。ステップＣ４では、表示イメージ番号を「１」として、ステップＣ３に進む。具体的には、記憶装置１２に記憶される表示中の表示イメージ番号情報を「１」として、ステップＣ３に進む。
【００４６】
図１２は、制御装置１１が実行する入力装置割込処理を示すフローチャートである。図９に示したステップＡ４で発生した割り込みが入力装置割込であると、ステップＡ５で、割り込み処理のうち入力装置割込処理が呼び出され、ステップＤ１に進む。入力装置割込は、入力装置１６たとえばボタン１６が押下されたときに、ボタン１６によって制御装置１１に発生する割り込みである。ステップＤ１では、表示更新処理Ａを実行した後、入力装置割込処理を終了する。
【００４７】
図１３は、制御装置１１が実行するタイマ割込Ｂ処理を示すフローチャートである。図９に示したステップＡ４で発生した割り込みがタイマ割込Ｂであると、ステップＡ５で、割り込み処理のうちタイマ割込Ｂ処理が呼び出され、ステップＥ１に進む。タイマ割込Ｂは、ボタン１６による表示イメージの切り換えが行われなくなってから、予め定める第２の時間、たとえばボタン１６の押下が行われなくなってから、顧客の対象が他の商品に移ったと考えられる時間が経過したことを計時したタイマ１５による制御装置１１への割り込みである。
【００４８】
ステップＥ１では、表示イメージ番号を「１」とする。具体的には、記憶装置１２に記憶される表示中の表示イメージ番号情報を「１」とする。ステップＥ２では、表示イメージ番号を表示コントローラ１４に送り、表示デバイス１３に表示イメージを描画させた後、表示更新処理Ｂを終了する。表示イメージ記憶領域１２１に記憶される表示イメージのうち、表示イメージ番号情報が「１」の表示イメージが描画された後、表示更新処理Ｂが終了する。
【００４９】
表示更新処理Ｂは、表示する表示イメージを表示イメージ番号が「１」の表示イメージに戻す処理である。これは、複数の商品が陳列されているとき、各商品に対応する表示装置１０にそれぞれ異なる表示イメージ番号の表示イメージが表示されていると、顧客は、一見して比較判断し難いので、通常状態では、同じ表示イメージ番号の表示イメージを表示させるためである。
【００５０】
たとえば、記憶装置１２の表示イメージ記憶領域１２１の表示イメージ番号「１」にサイズ、表示イメージ番号「２」に商品特徴、表示イメージ番号「３」に組成情報、および表示イメージ番号「４」に価格情報が記憶されている場合、通常状態でサイズが表示されているので、顧客は、サイズによって希望する商品を探すことができる。さらに、ボタン１６によって表示イメージを切り替え、価格情報を表示させた後、商品を元の場所に戻した場合、予め定める第２の時間経過後に自動的に表示イメージが表示イメージ番号「１」に戻るので、別の顧客が訪れたとき、表示装置１０には、サイズが統一されて表示されている。
【００５１】
図１４は、制御装置１１が実行する無線タグ割込Ａ処理を示すフローチャートである。図９に示したステップＡ４で発生した割り込みが無線タグ割込Ａ処理であると、ステップＡ５で、割り込み処理のうち無線タグ割込Ａ処理が呼び出され、ステップＦ１に進む。
【００５２】
無線タグ割込Ａの割り込み要因には、たとえば、予め定める第３の時間、たとえば表示装置１０と商品との対応付けが変更される可能性のある時間が経過したことを計時したタイマ１５による制御装置１１への割り込み、衣類などがハンガー９に掛けられたことを検出する重量センサによる制御装置１１への割り込み、無線タグ２０が無線タグ通信装置１７に近づいたことを検出する近接センサによる制御装置１１への割り込み、またはハンガー９が吊り下げ用の水平ステーなどに吊り下げられたことを検出するスイッチによる制御装置１１への割込みである。すなわち、無線タグ割込Ａは、ハンガー９に掛けられた商品が変更された可能性がある事象が発生したことを示す割り込みである。
【００５３】
重量センサは、たとえばハンガー９に設けられ、ハンガー９の本体部分に一定以上の重量がかかったことを検出するセンサである。近接センサは、たとえば無線タグ２０に磁石を搭載し、かつ無線タグ通信装置１７に磁力センサを搭載することによって、磁力センサが一定以上の磁界を検出したときに、無線タグ２０が無線タグ通信装置１７に近づいたことを検出するセンサである。スイッチは、たとえばハンガー９のフック９ａが一定以上の力で引かれたときにオンになるスイッチである。
【００５４】
ステップＦ１では、無線タグ２０から表示イメージ情報を読み込み、記憶装置１２の作業バッファに記録する。具体的には、無線タグ通信装置１７によって無線タグ２０から表示イメージ情報を受信し、受信した表示イメージ情報に含まれる表示イメージを、記憶装置１２の作業バッファ、つまり表示イメージ一時記憶領域１２２の表示イメージ１（ｗｏｒｋ）〜表示イメージｎ（ｗｏｒｋ）に書き込む。「ｎ」は、自然数であり、表示イメージ情報に含まれる表示イメージの数と同じ値である。
【００５５】
ステップＦ２では、成功であるか否かを判定する。無線タグ通信装置１７による無線タグ２０からの表示イメージ情報の受信が正常であると、成功であると判定し、ステップＦ３に進み、無線タグ通信装置１７による無線タグ２０からの表示イメージ情報の受信が正常でないと、成功でないと判定し、ステップＦ６に進む。ステップＦ３では、作業バッファの表示イメージ情報を記憶装置１２に上書き記録する。具体的には、記憶装置１２の作業バッファ、つまり表示イメージ一時記憶領域１２２の表示イメージ１（ｗｏｒｋ）〜表示イメージｎ（ｗｏｒｋ）の表示イメージを、記憶装置１２の表示イメージ記憶領域１２１の表示イメージ１〜表示イメージｎに上書きで書き込む。
【００５６】
ステップＦ４では、表示イメージ番号を「１」とする。具体的には、記憶装置１２に記憶される表示中の表示イメージ番号情報を「１」とする。ステップＦ５では、表示イメージ番号を表示コントローラ１４に送り、表示デバイス１３に表示イメージを描画させた後、無線タグ割込Ａ処理を終了する。表示イメージ記憶領域１２１に記憶される表示イメージのうち、表示イメージ番号情報「１」の表示イメージが描画された後、無線タグ割込Ａ処理が終了する。
【００５７】
ステップＦ６では、リトライ回数が上限か否かを判定する。リトライ回数が上限を超えていると、無線タグ割込Ａ処理を終了する。リトライ回数が上限を超えている場合、無線タグ２０から表示イメージ情報を読み込む際にエラーが発生して読み込めない旨のエラー表示を表示画面に表示して、無線タグ割込Ａ処理を終了するようにしてもよい。リトライ回数が上限以下であると、ステップＦ１に戻り、ステップＦ１で、無線タグ２０から表示イメージ情報を読み込み直し、記憶装置１２の作業バッファに記録する。リトライ回数の上限は、たとえば３回である。
【００５８】
このように、無線タグ通信装置１７によって、近接して配置された商品の商品情報が取得され、記憶装置１２によって、無線タグ通信装置１７によって取得した商品情報が記憶され、制御装置１１によって、記憶装置１２に記憶された商品情報の中から表示すべき商品情報が選択される。そして、制御装置１１および表示コントローラ１４によって、制御装置１１によって選択された商品情報が表示デバイス１３に表示される。したがって、近接する位置にある商品の商品情報を表示することができる。
【００５９】
さらに、入力装置１６によって、表示デバイス１３に表示される商品情報の切り換えが指示され、制御装置１１によって、入力装置１６によって切り換えが指示されとき、商品情報が選択されるので、利用者は表示装置１０に設けられている入力装置１６たとえばボタンを操作することによって商品情報を切り換えることができる。
【００６０】
さらに、タイマ１５によって、時間が計時され、制御装置１１によって、タイマ１５によって予め定める時間が計時されるごとに商品情報が選択されるので、所定の時間が経過するごとに商品情報を切り換えて表示することができる。
【００６１】
さらに、無線タグ通信装置１７によって、前記商品に取り付けられ、その商品の商品情報を記憶する無線タグ２０から、その無線タグ２０に記憶される商品情報が無線通信で取得される。すなわち、商品に取り付けられている無線タグ２０から商品情報が取得されるので、販売者は商品情報を入力する必要がない。
【００６２】
図１５は、本発明の実施の他の形態である表示システム２の構成を示すブロック図である。表示システム２は、表示装置１０、無線タグ２０ａおよびホストコンピュータ３０ａを含んで構成され、たとえばデパートあるいはスーパーマーケットなどの店舗で、対応関係がわかるように各商品に近接して配置される表示装置１０に、対応する商品に関する商品情報を表示するシステムである。表示システム２の構成要素のうち、表示システム１の構成要素と同じ構成要素については、同じ参照符号を付して、重複する説明は省略する。
【００６３】
商品識別情報記憶装置である無線タグ２０ａは、商品などに取り付け可能な無線タグ、たとえばＲＦＩＤ方式で無線通信可能な非接触型のＩＣチップを用いたタグによって構成され、送受信部２１、制御部２２および記憶部２３ａを含んで構成される。記憶部２３ａは、不揮発性の半導体メモリによって構成され、その無線タグ２０が取り付けられる商品の商品識別情報である商品ＩＤ情報を記憶している。制御部２２は、無線タグ通信装置１７から商品ＩＤ情報の送信要求を受けると、記憶部２３ａから商品ＩＤ情報を読み出し、読み出した商品ＩＤ情報を送受信部２１によって無線タグ通信装置１７に送る。
【００６４】
商品情報管理装置であるホストコンピュータ３０ａは、商品情報および商品ＩＤ情報を管理し、ホスト制御装置３１、ホスト記憶装置３２、ホスト入力装置３３、ホスト出力装置３４、ホスト通信装置３５およびホスト無線タグ通信装置３６を含んで構成される。
【００６５】
ホスト制御装置３１は、ＣＰＵ、ならびにＲＯＭおよびＲＡＭなどの半導体メモリあるいはハードディスク装置によって構成され、ＣＰＵが半導体メモリあるいはハードディスク装置に記憶されるホスト制御プログラムを実行することによって、ホスト記憶装置３２、ホスト入力装置３３、ホスト出力装置３４、ホスト通信装置３５およびホスト無線タグ通信装置３６を制御する。
【００６６】
第２の記憶手段であるホスト記憶装置３２は、すべての商品についての商品情報と、各商品を識別するための商品ＩＤを表す商品ＩＤ情報とを対応付けて記憶する。ホスト入力装置３３は、キーボードおよびマウスを含む入力装置のうちのいずれかによって構成され、入力された情報をホスト制御装置３１に送る。ホスト出力装置３４は、ディスプレイおよびプリンタなどのうちのいずれかによって構成され、ホスト制御装置３１から指示される情報を出力する。ホスト通信装置３５は、表示装置１０の通信装置１８と無線で通信し、情報の送受信を行う。第２の取得手段であるホスト無線タグ通信装置３６は、無線タグ２０ａの送受信部２１と無線で通信し、情報の送受信を行う。
【００６７】
ホスト記憶装置３２に記憶される商品情報および商品ＩＤ情報は、ホスト入力装置３３によって入力して記憶させる。無線タグが商品ＩＤ情報のみを記憶する無線タグ２０ａではなく、商品情報と商品ＩＤ情報とを記憶する図示しない無線タグ２０ｂである場合は、ホスト無線タグ通信装置３６によって無線タグ２０ｂから商品情報および商品ＩＤ情報を受信し、受信した商品情報および商品ＩＤ情報をホスト記憶装置３２に記憶させてもよい。無線タグ２０ｂは、商品識別情報記憶装置である。
【００６８】
ホスト記憶装置３２に記憶される商品情報の中から所望の商品情報を選択して、表示装置１０に表示する場合、ホスト制御装置３１は、ホスト入力装置３３によって選択された商品情報をホスト記憶装置３２から読み出し、読み出した商品情報をホスト通信装置３５によって、表示装置１０に送信して、表示装置１０に表示させる。
【００６９】
ホスト記憶装置３２に記憶される商品情報の中から所望の商品情報を選択して、ホスト出力装置３４に出力する場合、ホスト制御装置３１は、ホスト入力装置３３によって選択された商品情報をホスト記憶装置３２から読み出し、読み出した商品情報をホスト出力装置３４に送り、出力させる。
【００７０】
表示システム２では、制御装置１１に発生する割り込み要因には、表示システム１で制御装置１１に発生する割り込み要因以外の割り込み要因がある。図９に示したステップＡ５で実行される割り込み処理には、図１０に示すタイマ割込みＡ処理、図１２に示す入力装置割り込み処理、図１３に示すタイマ割込みＢ処理、図１４に示す無線タグ割込Ａ処理のほかに、図１６に示す表示イメージ更新要求割込処理、および図１８に示す無線タグ割込Ｂ処理がある。無線タグ通信装置１７および通信手段１８は、取得手段である。
【００７１】
図１６は、制御装置１１が実行する表示イメージ更新要求割込処理を示すフローチャートである。図９に示したステップＡ４で発生した割り込みが表示イメージ更新要求割込であると、ステップＡ５で、割り込み処理のうち表示イメージ更新要求割込処理が呼び出され、ステップＧ１に進む。表示イメージ更新要求割込は、ホストコンピュータ３０ａから表示イメージ更新要求を受信したときに、通信装置１８によって制御装置１１に発生する割り込みである。
【００７２】
ステップＧ１では、更新要求ＡＣＫ（acknowledge）を応答する。具体的には、通信装置１８によって、表示イメージ更新要求を正常に受信したことを示す更新要求ＡＣＫをホストコンピュータ３０ａに送信する。ステップＧ２では、表示イメージ更新処理を実行して、表示イメージ更新要求割込処理を終了する。
【００７３】
図１７は、制御装置１１が実行する表示イメージ更新処理を示すフローチャートである。図１６に示したステップＧ２で呼び出されると、ステップＨ１に進む。表示イメージ更新処理は、ホストコンピュータ３０ａから商品情報つまり表示イメージ情報を受信し、受信した表示イメージ情報を表示する処理である。
【００７４】
ステップＨ１では、ホストコンピュータ３０ａから表示イメージ情報を読み込み、記憶装置１２の作業バッファに記録する。具体的には、通信装置１８によって、ホストコンピュータ３０ａから表示イメージ情報を受信し、受信した表示イメージ情報に含まれる各表示イメージを、記憶装置１２の作業バッファ、つまり表示イメージ一時記憶領域１２２の表示イメージ１（ｗｏｒｋ）〜表示イメージｎ（ｗｏｒｋ）に書き込む。「ｎ」は、自然数であり、表示イメージ情報に含まれる表示イメージの数と同じ値である。
【００７５】
ステップＨ２では、成功であるか否かを判定する。通信装置１８によるホストコンピュータ３０ａからの表示イメージ情報の受信が正常であると、成功であると判定し、ステップＨ３に進み、通信装置１８によるホストコンピュータ３０ａからの表示イメージ情報の受信が正常でないと、成功でないと判定し、ステップＨ７に進む。ステップＨ３では、受信完了ＡＣＫを応答する。具体的には、通信装置１８によって、表示イメージ情報の受信を正常に完了したことを示す受信完了ＡＣＫをホストコンピュータ３０ａに送信する。
【００７６】
ステップＨ４では、作業バッファの表示イメージ情報を記憶装置１２に上書き記録する。具体的には、記憶装置１２の作業バッファ、つまり表示イメージ一時記憶領域１２２の表示イメージ１（ｗｏｒｋ）〜表示イメージｎ（ｗｏｒｋ）の表示イメージを、記憶装置１２の表示イメージ記憶領域１２１の表示イメージ１〜表示イメージｎに上書きで書き込む。
【００７７】
ステップＨ５では、表示イメージ番号を「１」とする。具体的には、記憶装置１２に記憶される表示中の表示イメージ番号情報を「１」とする。ステップＨ６では、表示イメージ番号を表示コントローラ１４に送り、表示デバイス１３に表示イメージを描画させた後、表示イメージ更新処理を終了する。表示イメージ記憶領域１２１に記憶される表示イメージのうち、表示イメージ番号情報「１」の表示イメージが描画された後、表示イメージ更新処理が終了する。
【００７８】
ステップＨ７では、リトライ回数が上限であるか否かを判定する。リトライ回数が上限を超えていると、表示イメージ更新処理を終了する。リトライ回数が上限を超えている場合、ホストコンピュータ３０ａから表示イメージ情報を読み込む際にエラーが発生して読み込めない旨のエラー表示を表示画面に表示して、表示イメージ更新処理を終了するようにしてもよい。リトライ回数が上限以下であると、ステップＨ１に戻り、ステップＨ１で、ホストコンピュータ３０ａにリトライ要求を送信して、ホストコンピュータ３０ａから表示イメージ情報を読み込み直し、記憶装置１２の作業バッファに記録する。
【００７９】
図１８は、制御装置１１が実行する無線タグ割込Ｂ処理を示すフローチャートである。図９に示したステップＡ４で発生した割り込みが無線タグ割込Ｂであると、ステップＡ５で、割り込み処理のうち無線タグ割込Ｂ処理が呼び出され、ステップＪ１に進む。無線タグ割込Ｂの割り込み要因は、無線タグ割込Ａと同じ割り込み要因であるが、無線タグ割込Ｂ処理は、無線タグ２０ａが商品ＩＤ情報のみを記憶し、ホストコンピュータ３０ａが表示イメージ情報を記憶している場合の処理である。
【００８０】
ステップＪ１では、無線タグ２０からＩＤ情報を読み込む。具体的には、無線タグ通信装置１７によって無線タグ２０から商品ＩＤ情報を受信する。ステップＪ２では、成功であるか否かを判定する。無線タグ通信装置１７による無線タグ２０からの商品ＩＤ情報の受信が正常であると、成功であると判定し、ステップＪ３に進み、無線タグ通信装置１７による無線タグ２０からの商品ＩＤ情報の受信が正常でないと、成功でないと判定し、ステップＪ７に進む。
【００８１】
ステップＪ３では、読み込んだＩＤと現在表示中のＩＤとを比較する。具体的には、読み込んだ商品ＩＤ情報と、記憶装置１２の商品ＩＤ記憶領域１２４に記憶される商品ＩＤ情報とを比較する。ステップＪ４では、比較が一致するか否かを判定する。比較が一致すると、無線タグ割込Ｂ処理を終了し、比較が一致しないと、ステップＪ５に進む。
【００８２】
ステップＪ５では、ホストコンピュータ３０ａに、読み込んだＩＤ情報と表示更新要求とを送信する。具体的には、読み込んだ商品ＩＤ情報と表示更新要求とを、通信装置１８によってホストコンピュータ３０ａに送信する。ステップＪ６では、送信が成功したか否かを判定する。通信装置１８がホストコンピュータ３０ａから更新要求ＡＣＫを受信すると、送信が成功したと判定し、無線タグ割込Ｂ処理を終了し、通信装置１８がホストコンピュータ３０ａから更新要求ＡＣＫを受信しないと、送信が成功しなかったと判定し、ステップＪ８に進む。
【００８３】
ステップＪ７では、リトライ回数が上限であるか否かを判定する。リトライ回数が上限を超えていると、無線タグ割込Ｂ処理を終了する。リトライ回数が上限を超えている場合、無線タグ２０から商品ＩＤ情報を読み込む際にエラーが発生して読み込めない旨のエラー表示を表示画面に表示して、無線タグ割込Ｂ処理を終了するようにしてもよい。リトライ回数が上限以下であると、ステップＪ１に戻り、ステップＪ１で、無線タグ２０ａから商品ＩＤ情報を読み込み直す。
【００８４】
ステップＪ８では、リトライ回数が上限か否かを判定する。リトライ回数が上限を超えていると、無線タグ割込Ｂ処理を終了する。リトライ回数が上限を超えている場合、ホストコンピュータ３０ａへの商品ＩＤ情報および表示更新要求を送信する際にエラーが発生した旨のエラー表示を表示画面に表示して、無線タグ割込Ｂ処理を終了するようにしてもよい。リトライ回数が上限以下であると、ステップＪ５に戻り、ステップＪ５で、送信に失敗した商品ＩＤ情報と表示更新要求とを、通信装置１８によってホストコンピュータ３０ａに送信し直す。
【００８５】
図１９は、ホスト制御装置３１が実行する表示更新要求応答処理を示すフローチャートである。ホストコンピュータ３０ａの電源が投入され、動作可能になると、ステップＫ１に移る。
【００８６】
ステップＫ１では、受信済み要求番号リストをクリアする。受信済み要求番号リストは、表示装置１０から受信した要求に付されている番号の一覧を示すリストであり、表示装置１０から正常に受信した要求の番号が登録され、要求に対する処理の実行が完了すると、実行が完了した要求の番号は登録が末梢される。ステップＫ２では、要求受信処理を実行する。ステップＫ３では、受信した要求が表示更新要求であるか否かを判定する。受信した要求が表示更新要求であると、ステップＫ４に進み、受信した要求が表示更新要求でないと、ステップＫ１に戻る。ステップＫ４では、ＡＣＫを送信する。具体的には、商品ＩＤ情報と表示更新要求とを正常に受信したことを示すＡＣＫを表示装置１０に送信する。
【００８７】
ステップＫ５では、受信した商品ＩＤ情報に対応付けて記憶されている表示イメージ情報をデータベース（Database；以下「ＤＢ」という）から読み込む。具体的には、ホストコンピュータ３０ａは、商品ＩＤ情報が示す商品ＩＤの商品の表示イメージ情報を、商品ＩＤ情報に対応付けてＤＢとして、ホスト記憶装置３２に記憶しており、受信した商品ＩＤ情報に対応付けられている表示イメージ情報をＤＢから読み出す。
【００８８】
ステップＫ６では、読み出した表示イメージ情報を表示装置１０に送信する。ステップＫ７では、要求受信処理を実行する。ステップＫ８では、リトライ要求であるか否かを判定する。ステップＫ７での要求受信処理で表示装置１０から受信した要求がリトライ要求であると、ステップＫ６に戻り、再度表示イメージ情報を表示装置１０に送信する。ステップＫ７での要求受信処理で表示装置１０から受信した要求がリトライ要求でないと、ステップＫ９に進む。
【００８９】
ステップＫ９では、ＡＣＫであるか否かを判定する。ステップＫ７での要求受信処理で表示装置１０から受信した要求がＡＣＫであると、ステップＫ１に戻り、ステップＫ７での要求受信処理で表示装置１０から受信した要求がＡＣＫでないと、ステップＫ１０に進む。ステップＫ１０では、タイムアウトであるか否かを判定する。ステップＫ７での要求受信処理で、表示イメージ情報を送信してから、予め定める第４の時間、たとえば表示イメージ情報を送信してからＡＣＫが返るのを監視する時間が経過していると、タイムアウトであると判定し、ステップＫ１に戻り、予め定める第４の時間が経過していないと、ステップＫ７に戻る。
【００９０】
図２０は、ホスト制御装置３１が実行する要求受信処理を示すフローチャートである。図１９に示したステップＫ２、あるいはステップＫ７で呼び出されると、ステップＬ１に移る。
【００９１】
ステップＬ１では、表示装置１０からの要求の受信を待つ。ステップＬ２では、要求を受信したか否かを判定する。要求を受信すると、ステップＬ３に進み、要求を受信しないと、ステップＬ２に戻る。ステップＬ３では、受信した要求の番号を、受信済み要求番号リストから検索する。
【００９２】
ステップＬ４では、受信した要求の番号が受信済み要求番号リストに存在するか否かを判定する。受信した要求の番号が受信済み要求番号リストに存在すると、すでに受信した要求と同じであるので、ステップＬ１に戻る。受信した要求の番号が受信済み要求番号リストに存在しないと、まだ受信していない要求であるので、ステップＬ５に進む。ステップＬ５では、受信した要求の番号を受信済み要求番号リストに追加して、要求受信処理を終了する。
【００９３】
図２１は、ホストコンピュータ３０ａから表示イメージ情報を受信して表示するシーケンス図である。このシーケンス図は、図１６〜図２０に示したフローチャートの処理によって、無線タグ２０ａ、表示装置１０、およびホストコンピュータ３０ａ間で、制御情報を送受信するシーケンスを、上から下に時間が経過するとして表したものである。
【００９４】
シーケンスＳ１では、表示装置１０で無線タグ割込Ｂが発生し、表示装置１０は無線タグ割込Ｂ処理を実行する。シーケンスＳ２では、表示装置１０から無線タグ２０ａに、商品ＩＤ情報（図２１では「ＩＤ」という）の送信要求が送信される。シーケンスＳ３では、表示装置１０からの送信要求に対して、無線タグ２０ａから表示装置１０に、商品ＩＤ情報、たとえば商品ＩＤ情報「Ａ」が返信される。
【００９５】
シーケンスＳ４では、表示装置１０で、受信した商品ＩＤ情報「Ａ」が、表示中の商品ＩＤ情報、具体的には、記憶装置１２の商品ＩＤ記憶領域１２４に記憶される商品ＩＤ情報と比較され、比較が一致すると、シーケンスＳ５に移る。シーケンスＳ５では、表示装置１０からホストコンピュータ３０ａに、表示更新要求と商品ＩＤ情報「Ａ」とが送信される。シーケンスＳ６は、ホストコンピュータ３０ａからのＡＣＫ応答がタイムアウトになったときのリトライであり、シーケンスＳ５で送信された表示更新要求と商品ＩＤ情報「Ａ」とが再送信される。
【００９６】
シーケンスＳ７では、ホストコンピュータ３０ａが表示更新要求と商品ＩＤ情報「Ａ」とを正常に受信すると、ホストコンピュータ３０ａは、表示装置１０にＡＣＫ応答を送信する。シーケンスＳ８では、ホストコンピュータ３０ａは、ＤＢから商品ＩＤ情報「Ａ」に対応付けられた表示イメージ情報を読み込む。シーケンスＳ９では、ホストコンピュータ３０ａは、表示装置１０に表示イメージ更新要求と読み込んだ表示イメージ情報とを送信する。
【００９７】
シーケンスＳ１０では、表示装置１０は、表示イメージ更新要求を受信すると、表示イメージ更新割込処理を実行する。シーケンスＳ１１では、表示装置１０は、ホストコンピュータ３０ａから表示イメージ情報を正常に受信することができなかったとき、ホストコンピュータ３０ａにリトライ要求を送信する。
【００９８】
シーケンスＳ１２では、ホストコンピュータ３０ａは、表示装置１０からのリトライ要求に対して、表示イメージ更新要求と、商品ＩＤ情報「Ａ」に対応する表示イメージ情報とを再送する。シーケンスＳ１３では、表示装置１０は、表示イメージ更新要求と表示イメージ情報とを正常に受信すると、ＡＣＫをホストコンピュータ３０ａに送信する。シーケンスＳ１４では、表示装置１０は、表示イメージ更新処理を実行し、ホストコンピュータ３０ａから受信した表示イメージ情報を表示する。
【００９９】
このように、表示システム２は、表示イメージ情報つまり商品情報をホストコンピュータ３０ａから表示装置１０に送信して表示させることができるので、価格変更あるいはタイムサービスなどのために商品情報を変更する必要がある場合に、ホストコンピュータ３０ａから一括して変更することができる。
【０１００】
このように、無線タグ通信装置１７および通信手段１８によって、前記商品に取り付けられ、その商品を識別するための商品ＩＤ情報が記憶された無線タグ２０ａから、記憶された商品ＩＤ情報が無線通信で取得され、商品の商品情報と、各商品の商品ＩＤ情報とを対応付けて記憶して管理するホストコンピュータ３０ａから、無線タグ２０ａから取得した商品ＩＤ情報に対応付けられた商品情報が取得される。したがって、無線タグ２０ａには、商品ＩＤ情報のみを記憶し、商品情報を記憶しておく必要がないので、無線タグ２０ａの記憶容量を極力小さくすることができ、無線タグ２０ａを小型化することができる。
【０１０１】
さらに、商品を表す商品情報を表示する表示装置１０と、商品に取り付けられ、その商品を識別するための商品ＩＤ情報を記憶する無線タグ２０ａと、商品の商品情報と各商品の商品ＩＤ情報とを対応付けて記憶して管理するホストコンピュータ３０ａとを含む表示システムで、商品情報を表示装置１０に表示するにあたって、表示装置１０では、無線タグ通信装置１７および通信手段１８によって、近接して配置された商品に取り付けられた無線タグ２０ａから、記憶された商品ＩＤ情報が無線通信で取得され、ホストコンピュータ３０ａから、無線タグ２０ａから取得した商品ＩＤ情報に対応付けられた商品情報が取得され、記憶装置１２によって、無線タグ通信装置１７および通信手段１８によって取得した商品情報が記憶され、制御装置１１によって、記憶装置１２に記憶された商品情報の中から表示すべき商品情報が選択される。そして、制御装置１１および表示コントローラ１４によって、制御装置１１によって選択された商品情報が表示デバイス１３に表示される。
【０１０２】
したがって、商品ＩＤ情報のみを無線タグ２０ａから取得し、商品ＩＤ情報に対応する商品情報を、ホストコンピュータ３０ａから取得して、表示装置１０に表示することができるので、無線タグ２０ａの記憶容量を極力小さくすることができ、無線タグ２０ａを小型化することができる。
【０１０３】
さらに、無線タグ２０ｂによって、取り付けられた商品の商品情報がさらに記憶され、ホストコンピュータ３０ａでは、ホスト無線タグ通信装置３６によって、無線タグ２０ｂから、記憶された商品ＩＤ情報および商品情報が無線通信で取得され、ホスト記憶装置３２によって、ホスト無線タグ通信装置３６および通信手段１８によって取得された商品ＩＤ情報と商品情報とが対応付けて記憶される。したがって、商品に取り付けられている無線タグ２０ｂから商品情報が取得されるので、販売者は商品情報を入力する必要がない。
【０１０４】
上述した実施の形態では、商品情報が記憶されている商品情報記憶装置として無線タグ２０を用いたが、無線タグ２０の代わりに、２次元コードが記録された２次元コード記録装置を用いてもよい。この場合、表示装置１０の無線タグ通信装置１７あるいはホストコンピュータ３０ａのホスト無線タグ通信装置３６の代わりに、２次元コードを読み取る２次元コード読取装置を設ける。２次元コード記録装置は、ＱＲ（Quick Response）コードなどの２次元コードが記録された装置であり、たとえば２次元コードが印刷されたタグなどによって構成される。この２次元コード記録装置は、無線タグ２０と同様に、衣服などの商品に取り付けられ、商品を表示装置１０あるいはホストコンピュータ３０ａの２次元コード読取装置に近付けて読み取らせることによって商品情報を入力することができる。
【図面の簡単な説明】
【０１０５】
【図１】本発明の実施の一形態である表示システム１の構成を示すブロック図である。
【図２】記憶装置１２のメモリマップを示す図である。
【図３】ハンガー９に設けられた表示装置１０の例を示す正面図である。
【図４】ハンガー９に設けられた表示装置１０の他の例を示す上面図である。
【図５】表示装置１０のハンガー９への取付け方法の例を示す図である。
【図６】無線タグ読取装置１７および無線タグ２０の取付け位置の一例を示す図である。
【図７】無線タグ読取装置１７および無線タグ２０の取付け位置の他の例を示す図である。
【図８】表示像置１０に表示される表示例を示す図である。
【図９】制御装置１１が実行する表示処理を示すフローチャートである。
【図１０】制御装置１１が実行するタイマ割込Ａ処理を示すフローチャートである。
【図１１】制御装置１１が実行する表示更新処理Ａを示すフローチャートである。
【図１２】制御装置１１が実行する入力装置割込処理を示すフローチャートである。
【図１３】制御装置１１が実行するタイマ割込Ｂ処理を示すフローチャートである。
【図１４】制御装置１１が実行する無線タグ割込Ａ処理を示すフローチャートである。
【図１５】本発明の実施の他の形態である表示システム２の構成を示すブロック図である。
【図１６】制御装置１１が実行する表示イメージ更新要求割込処理を示すフローチャートである。
【図１７】制御装置１１が実行する表示イメージ更新処理を示すフローチャートである。
【図１８】制御装置１１が実行する無線タグ割込Ｂ処理を示すフローチャートである。
【図１９】ホスト制御装置３１が実行する表示更新要求応答処理を示すフローチャートである。
【図２０】ホスト制御装置３１が実行する要求受信処理を示すフローチャートである。
【図２１】ホストコンピュータ３０ａから表示イメージ情報を受信して表示するシーケンス図である。
【符号の説明】
【０１０６】
１，２  表示システム
８  衣類
９  ハンガー
９ａ  フック
９ｂ  フックの首
１０，１０ａ〜１０ｇ  表示装置
１１  制御装置
１２  記憶装置
１３  表示デバイス
１４  表示コントロール
１５  タイマ
１６  入力装置
１７  無線タグ通信装置
１８  通信装置
２０，２０ａ  無線タグ
２１  送受信部
２２  制御部
２３，２３ａ  記憶部
３０，３０ａ  ホストコンピュータ
３１  ホスト制御装置
３２  ホスト記憶装置
３３  ホスト入力装置
３４  ホスト出力装置
３５  ホスト通信装置
３６  ホスト無線タグ通信装置
１０１，１０１ａ，１０１ｂ  表示画面
【図１】
2010026184.tif 000003
【図２】
2010026184.tif 000004
【図３】
2010026184.tif 000005
【図４】
2010026184.tif 000006
【図５】
2010026184.tif 000007
【図６】
2010026184.tif 000008
【図７】
2010026184.tif 000009
【図８】
2010026184.tif 000010
【図９】
2010026184.tif 000011
【図１０】
2010026184.tif 000012
【図１１】
2010026184.tif 000013
【図１２】
2010026184.tif 000014
【図１３】
2010026184.tif 000015
【図１４】
2010026184.tif 000016
【図１５】
2010026184.tif 000017
【図１６】
2010026184.tif 000018
【図１７】
2010026184.tif 000019
【図１８】
2010026184.tif 000020
【図１９】
2010026184.tif 000021
【図２０】
2010026184.tif 000022
【図２１】
2010026184.tif 000023